【手続補正書】
【提出日】平成18年11月28日(2006.11.28)
【手続補正１】
【補正対象書類名】明細書
【補正対象項目名】特許請求の範囲
【補正方法】変更
【補正の内容】
【特許請求の範囲】
【請求項１】  所定の媒体上に記録された画像を読み取り出力する画像処理装置であって、
上記出力側に関する情報に基づいて、上記所定の媒体上における画像読取領域を決定する決定手段を備えることを特徴とする画像処理装置。
【請求項２】  上記出力側に関する情報を設定する設定手段を備え、
上記決定手段は、上記設定手段による設定情報に基づいて、上記画像読取領域を決定することを特徴とする請求項１記載の画像処理装置。
【請求項３】  上記出力側は、所定の媒体上に対して画像描写する機能を有し、
上記出力側に関する情報は、上記画像描写する画像描写領域を示す情報を含むことを特徴とする請求項１記載の画像処理装置。
【請求項４】  上記決定手段で決定された画像読取領域から得られる読取画像データに対して、複製情報であることを示す情報を付加する付加手段と、
上記付加手段による情報付加後の画像データを、上記出力側に対して出力する出力手段とを備えることを特徴とする請求項１記載の画像処理装置。
【請求項５】  上記所定の媒体は、Ｘ線フィルムを含むことを特徴とする請求項１記載の画像処理装置。
【請求項６】  複数の機器が互いに通信可能に接続されてなる画像処理システムであって、
上記複数の機器のうち少なくとも１つの機器は、請求項１〜５の何れかに記載の画像処理装置の機能を有することを特徴とする画像処理システム。
【請求項７】  所定の媒体上に記録された画像を読み取り、当該読取画像を、所定の媒体上へ描写するための画像処理方法であって、
上記画像読取側が、上記画像描写側に関する情報に基づいて、画像読取対象の媒体上における画像読取領域を決定する決定ステップを含むことを特徴とする画像処理方法。
【請求項８】  シート状媒体上に記録された画像を読み取り、当該読取画像を、シート状媒体上へ画像描写するための画像処理方法であって、
上記画像読取側の処理ステップは、
上記画像描写側のパラメータを設定する設定ステップと、
上記設定ステップにおけるパラメータを記憶する記憶ステップと、
上記記憶ステップにより記憶されたパラメータに基づいて、上記画像描写の画像サイズと上記画像読取の画像サイズが同じサイズとなるように、画像読取領域を決定する決定ステップとを含むことを特徴とする画像処理方法。
【請求項９】  上記パラメータは、上記画像描写する画像描写領域を示すパラメータを含むことを特徴とする請求項８記載の画像処理方法。
【請求項１０】  上記決定ステップは、上記画像描写する画像描写領域と上記画像読取領域が等しくなるように、上記画像読取領域を決定するステップを含むことを特徴とする請求項８記載の画像処理方法。
【請求項１１】  上記決定ステップは、上記画像読取領域の縦方向又は横方向が上記画像描写領域の長さと等しく、他方の方向が上記画像描写領域の長さ以下となるように、上記画像読取領域を決定するステップを含むことを特徴とする請求項８記載の画像処理方法。
【請求項１２】  上記処理ステップは、上記画像描写側へ供給する読取画像に対して、所定の情報を付加する付加ステップを含むことを特徴とする請求項８記載の画像処理方法。
【請求項１３】  上記所定の情報は、複製された画像であることを示す情報、画像読取条件情報、及び画像描画条件情報の少なくとも何れかの情報を含むことを特徴とする請求項１２記載の画像処理方法。
【請求項１４】  上記シート状媒体は、Ｘ線フィルムを含むことを特徴とする請求項８記載の画像処理方法。
【請求項１５】  所定の媒体上に記録された画像を読み取り出力する画像処理装置を制御するコンピュータプログラムであって、
上記出力側に関する情報に基づいて、上記所定の媒体上における画像読取領域を決定する決定ステップをコンピュータに実行させるためのコンピュータプログラム。
【請求項１６】  所定の媒体上に記録された画像を読み取り、当該読取画像を、所定の媒体上へ描写するための画像処理方法を実行させるためのコンピュータプログラムであって、
上記画像読取側が、上記画像描写側に関する情報に基づいて、画像読取対象の媒体上における画像読取領域を決定する決定ステップをコンピュータに実行させるためのコンピュータプログラム。
【請求項１７】  シート状媒体上に記録された画像を読み取り、当該読取画像を、シート状媒体上へ画像描写するための画像処理方法を実行させるためのコンピュータプログラムであって、
上記画像描写側のパラメータを設定する設定ステップと、
上記設定ステップにおけるパラメータを記憶する記憶ステップと、
上記記憶ステップにより記憶されたパラメータに基づいて、上記画像描写の画像サイズと上記画像読取の画像サイズが同じサイズとなるように、画像読取領域を決定する決定ステップとをコンピュータに実行させるためのコンピュータプログラム。
【請求項１８】  請求項１５〜１７のいずれか１項に記載のコンピュータプログラムを記録したコンピュータ読み取り可能な記憶媒体。
【手続補正２】
【補正対象書類名】明細書
【補正対象項目名】００１３
【補正方法】変更
【補正の内容】
【００１３】
第２の発明は、上記第１の発明において、上記出力側に関する情報を設定する設定手段を備え、上記決定手段は、上記設定手段による設定情報に基づいて、上記画像読取領域を決定することを特徴とする。
【手続補正３】
【補正対象書類名】明細書
【補正対象項目名】００１４
【補正方法】変更
【補正の内容】
【００１４】
第３の発明は、上記第１の発明において、上記出力側は、所定の媒体上に対して画像描写する機能を有し、上記出力側に関する情報は、上記画像描写する画像描写領域を示す情報を含むことを特徴とする。
【手続補正４】
【補正対象書類名】明細書
【補正対象項目名】００１５
【補正方法】変更
【補正の内容】
【００１５】
第４の発明は、上記第１の発明において、上記決定手段で決定された画像読取領域から得られる読取画像データに対して、複製情報であることを示す情報を付加する付加手段と、上記付加手段による情報付加後の画像データを、上記出力側に対して出力する出力手段とを備えることを特徴とする。
【手続補正５】
【補正対象書類名】明細書
【補正対象項目名】００１８
【補正方法】変更
【補正の内容】
【００１８】
第７の発明は、所定の媒体上に記録された画像を読み取り、当該読取画像を、所定の媒体上へ描写するための画像処理方法であって、上記画像読取側が、上記画像描写側に関する情報に基づいて、画像読取対象の媒体上における画像読取領域を決定する決定ステップを含むことを特徴とする。
【手続補正６】
【補正対象書類名】明細書
【補正対象項目名】００１９
【補正方法】変更
【補正の内容】
【００１９】
第８の発明は、シート状媒体上に記録された画像を読み取り、当該読取画像を、シート状媒体上へ画像描写するための画像処理方法であって、上記画像読取側の処理ステップは、上記画像描写側のパラメータを設定する設定ステップと、上記設定ステップにおけるパラメータを記憶する記憶ステップと、上記記憶ステップにより記憶されたパラメータに基づいて、上記画像描写の画像サイズと上記画像読取の画像サイズが同じサイズとなるように、画像読取領域を決定する決定ステップとを含むことを特徴とする。
【手続補正７】
【補正対象書類名】明細書
【補正対象項目名】００２０
【補正方法】変更
【補正の内容】
【００２０】
第９の発明は、上記第８の発明において、上記パラメータは、上記画像描写する画像描写領域を示すパラメータを含むことを特徴とする。
【手続補正８】
【補正対象書類名】明細書
【補正対象項目名】００２１
【補正方法】変更
【補正の内容】
【００２１】
第１０の発明は、上記第８の発明において、上記決定ステップは、上記画像描写する画像描写領域と上記画像読取領域が等しくなるように、上記画像読取領域を決定するステップを含むことを特徴とする。
【手続補正９】
【補正対象書類名】明細書
【補正対象項目名】００２２
【補正方法】変更
【補正の内容】
【００２２】
第１１の発明は、上記第８の発明において、上記決定ステップは、上記画像読取領域の縦方向又は横方向が上記画像描写領域の長さと等しく、他方の方向が上記画像描写領域の長さ以下となるように、上記画像読取領域を決定するステップを含むことを特徴とする。
【手続補正１０】
【補正対象書類名】明細書
【補正対象項目名】００２３
【補正方法】変更
【補正の内容】
【００２３】
第１２の発明は、上記第８の発明において、上記処理ステップは、上記画像描写側へ供給する読取画像に対して、所定の情報を付加する付加ステップを含むことを特徴とする。
【手続補正１１】
【補正対象書類名】明細書
【補正対象項目名】００２６
【補正方法】変更
【補正の内容】
【００２６】
第１５の発明は、所定の媒体上に記録された画像を読み取り出力する画像処理装置を制御するコンピュータプログラムであって、上記出力側に関する情報に基づいて、上記所定の媒体上における画像読取領域を決定する決定ステップをコンピュータに実行させるためのコンピュータプログラムである。
【手続補正１２】
【補正対象書類名】明細書
【補正対象項目名】００２７
【補正方法】変更
【補正の内容】
【００２７】
第１６の発明は、所定の媒体上に記録された画像を読み取り、当該読取画像を、所定の媒体上へ描写するための画像処理方法を実行させるためのコンピュータプログラムであって、上記画像読取側が、上記画像描写側に関する情報に基づいて、画像読取対象の媒体上における画像読取領域を決定する決定ステップをコンピュータに実行させるためのコンピュータプログラムである。
【手続補正１３】
【補正対象書類名】明細書
【補正対象項目名】００２８
【補正方法】変更
【補正の内容】
【００２８】
第１７の発明は、シート状媒体上に記録された画像を読み取り、当該読取画像を、シート状媒体上へ画像描写するための画像処理方法を実行させるためのコンピュータプログラムであって、上記画像描写側のパラメータを設定する設定ステップと、上記設定ステップにおけるパラメータを記憶する記憶ステップと、上記記憶ステップにより記憶されたパラメータに基づいて、上記画像描写の画像サイズと上記画像読取の画像サイズが同じサイズとなるように、画像読取領域を決定する決定ステップとをコンピュータに実行させるためのコンピュータプログラムである。
【手続補正１４】
【補正対象書類名】明細書
【補正対象項目名】００２９
【補正方法】変更
【補正の内容】
【００２９】
第１８の発明は、請求項１５〜１７のいずれか１項に記載のコンピュータプログラムを記録したコンピュータ読み取り可能な記憶媒体である。
【手続補正１５】
【補正対象書類名】明細書
【補正対象項目名】００３５
【補正方法】変更
【補正の内容】
【００３５】
そこで、画像読取装置１００は、上記図１に示すように、フィルム読取部１１０、データ処理部１２０、付与手段としてのコメント追記部１３０、出力手段としてのデータ出力部１４０、モード選択部１５０、決定手段としてのパラメータ決定部１６０、パラメータ記憶部１７０、及び設定手段としてのパラメータ設定部１８０を備えている。
【手続補正１６】
【補正対象書類名】明細書
【補正対象項目名】００３８
【補正方法】変更
【補正の内容】
【００３８】
パラメータ設定部１８０は、ストレージモード又はデュープモードで使用するパラメータを設定する。
ここでのパラメータの一例としては、ストレージモード及びデュープモードのそれぞれについて、表１に示すような画像読取パラメータ（濃度範囲、画素ピッチ、階調数、変換テーブル、フォーマット、ＩＰアドレス等）と、表２に示すようなデュープモードで使用する画像出力装置（ここではプリンタ）パラメータ（縦横の画像領域等）とが挙げられる。
【手続補正１７】
【補正対象書類名】明細書
【補正対象項目名】００４３
【補正方法】変更
【補正の内容】
【００４３】
フィルム読取部１１０は、Ｘ線撮影により画像形成されたシート状媒体としてのＸ線フィルム（オリジナルフィルム）から画像を読み取り、当該読取画像のディジタル画像データを形成する。
【手続補正１８】
【補正対象書類名】明細書
【補正対象項目名】００７１
【補正方法】変更
【補正の内容】
【００７１】
また、例えば、コメント追記部１３０は、使用する画像読取装置１００のモデル名、画素ピッチ、濃度範囲、及び階調数等を示す読取パラメータ（画像読取条件情報）や、画像出力装置６３０（プリンタ）のモデル名、印字画素ピッチ、濃度範囲、及び補間の方法等を示すパラメータ（画像描画条件情報）等を、コメントとして対象画像データに対して付加する。
このように構成した場合にも、例えば、読影する医師に対して、読影に有効な情報を与えることができる。
【手続補正１９】
【補正対象書類名】図面
【補正対象項目名】図１
【補正方法】変更
【補正の内容】
【図１】
2003150945.tif 000001